【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
照光式吸引デバイスであって、
該デバイスは、
近位端、遠位端、およびその間の中心部分を有する吸引チューブであって、該近位端は、真空源に流体的に接続可能であり、該吸引チューブは、内側表面および外側表面をさらに備える、吸引チューブと、
該吸引チューブの該中心部分の該外側表面の周囲に円周方向に配置された光学クラッディングの内側層と、
近位端、遠位端、およびその間の中心部分を有する光ファイバでない光導波路であって、光が、全反射によって該導波路を通して透過させられ、該光は、該遠位端から出射して手術野を照光し、該光導波路は、該吸引チューブに対して配置され、該光学クラッディングの内側層がその間に配置されている、光ファイバでない光導波路と、
該吸引チューブおよび該光導波路の周囲に円周方向に配置された光学クラッディングの外側層と
を備える、照光式吸引デバイス。
【請求項２】
前記吸引チューブの前記遠位端は、前記光導波路の前記遠位端よりもさらに遠位に配置されている、請求項１に記載のデバイス。
【請求項３】
前記吸引チューブの前記近位端の近傍に配置された吸引制御機構をさらに備え、該吸引制御機構は、該吸引チューブによって提供される吸引の強度を制御するように適合されている、請求項１に記載のデバイス。
【請求項４】
前記光学クラッディングの内側層は、略円形の断面を有するチューブを形成し、該光学クラッディングの内側層は、前記吸引チューブと同心である、請求項１に記載のデバイス。
【請求項５】
前記光導波路の前記遠位端は、その遠位端に一体的に形成されたレンズのアレイを備える、請求項１に記載のデバイス。
【請求項６】
前記レンズのアレイは、少なくとも第１のレンズが第２のレンズと重複するように配列され、該第１のレンズから放出される光のスポットは、該第２のレンズから放出される光のスポットと重複する、請求項５に記載のデバイス。
【請求項７】
前記光導波路は、前記遠位端の近傍に１つ以上の光抽出構造を備え、該光抽出構造は、該光導波路の外側表面に配置され、該光抽出構造は、該光導波路から光を抽出するように適合され、および該抽出された光を該光導波路から離れるように側方および遠位に指向させて、事前に選択された照光パターンを形成するように適合される、請求項１に記載のデバイス。
【請求項８】
前記光導波路は、内側湾曲表面および外側湾曲表面を有し、該内側湾曲表面は、該外側湾曲表面の曲率半径とは異なる曲率半径を有する、請求項１に記載のデバイス。
【請求項９】
空隙が、前記吸引チューブと前記光導波路との間に維持される、請求項１に記載のデバイス。
【請求項１０】
前記光導波路の前記遠位端は、平坦ではない、請求項１に記載のデバイス。
【請求項１１】
前記光学クラッディングの外側層は、前記吸引チューブと非同心であるチューブを形成する、請求項１に記載のデバイス。
【請求項１２】
前記光学クラッディングの外側層の一部は、前記光学クラッディングの内側層の一部に直接的に接触する、請求項１に記載のデバイス。
【請求項１３】
前記光導波路の前記近位端と単一片として一体的に形成された光伝導導管をさらに備え、該光伝導導管は、光を光源から該光導波路の中へ導入するように適合される、請求項１に記載のデバイス。
【請求項１４】
前記光導波路は、前記吸引チューブと摺動可能に結合され、該吸引チューブに対する該光導波路の近位移動は、該光導波路の前記遠位端から出射する前記光のスポットサイズを増加させ、該吸引チューブに対する該光導波路の遠位移動は、該光導波路の該遠位端から出射する該光のスポットサイズを減少させる、請求項１に記載のデバイス。
【手続補正２】
【補正対象書類名】明細書
【補正対象項目名】０００６
【補正方法】変更
【補正の内容】
【０００６】
本発明は、例えば、以下を提供する：
（項目１）
照光式吸引デバイスであって、
該デバイスは、
近位端、遠位端、およびその間の中心部分を有する吸引チューブであって、該近位端は、真空源に流体的に接続可能であり、該吸引チューブは、内側表面および外側表面をさらに備える、吸引チューブと、
該吸引チューブの該中心部分の該外側表面の周囲に円周方向に配置された光学クラッディングの内側層と、
近位端、遠位端、およびその間の中心部分を有する光ファイバでない光導波路であって、光が、全反射によって該導波路を通して透過させられ、該光は、該遠位端から出射して手術野を照光し、該光導波路は、該吸引チューブに対して配置され、該光学クラッディングの内側層がその間に配置されている、光ファイバでない光導波路と、
該吸引チューブおよび該光導波路の周囲に円周方向に配置された光学クラッディングの外側層と
を備える、照光式吸引デバイス。
（項目２）
前記吸引チューブは、円筒形状の断面を有するチューブを備える、項目１に記載のデバイス。
（項目３）
前記吸引チューブの前記遠位端は、前記光導波路の前記遠位端よりもさらに遠位に配置されている、項目１に記載のデバイス。
（項目４）
前記吸引チューブの前記近位端の近傍に配置された吸引制御機構をさらに備え、該吸引制御機構は、該吸引チューブによって提供される吸引の強度を制御するように適合されている、項目１に記載のデバイス。
（項目５）
前記吸引チューブは、電気的に伝導性であり、電気信号を伝達するための電極として作用する、項目１に記載のデバイス。
（項目６）
前記吸引チューブの遠位部分は、クラッディングが無い状態のままである、項目１に記載のデバイス。
（項目７）
前記吸引チューブの一部は、前記光導波路によって閉塞されない状態のままである、項目１に記載のデバイス。
（項目８）
前記光学クラッディングの内側層は、１から１．４２までの屈折率を有する、項目１に記載のデバイス。
（項目９）
前記光学クラッディングの内側層は、略円形の断面を有するチューブを形成し、該光学クラッディングの内側層は、前記吸引チューブと同心である、項目１に記載のデバイス。
（項目１０）
前記光導波路は、１．４６から１．７０までの屈折率を有する、項目１に記載のデバイス。
（項目１１）
前記光導波路は、０．３３から０．７までの開口数を有する、項目１０に記載のデバイス。
（項目１２）
前記光導波路の前記遠位端は、その遠位端に一体的に形成されたレンズのアレイを備える、項目１に記載のデバイス。
（項目１３）
前記レンズのアレイは、少なくとも第１のレンズが第２のレンズと重複するように配列され、該第１のレンズから放出される光のスポットは、該第２のレンズから放出される光のスポットと重複する、項目１２に記載のデバイス。
（項目１４）
前記光導波路の前記遠位端は、複数のマイクロ構造を備え、該複数のマイクロ構造は、そこから光を抽出するためのものであり、該抽出された光を指向させて、事前に選択された照光パターンを形成するように適合される、項目１に記載のデバイス。
（項目１５）
前記光導波路は、前記遠位端の近傍に１つ以上の光抽出構造を備え、該光抽出構造は、該光導波路の外側表面に配置され、該光抽出構造は、該光導波路から光を抽出するように適合され、および該抽出された光を該光導波路から離れるように側方および遠位に指向させて、事前に選択された照光パターンを形成するように適合される、項目１に記載のデバイス。
（項目１６）
前記光導波路は、内側湾曲表面および外側湾曲表面を有し、該内側湾曲表面は、該外側湾曲表面の曲率半径とは異なる曲率半径を有する、項目１に記載のデバイス。
（項目１７）
空隙が、前記吸引チューブと前記光導波路との間に維持される、項目１に記載のデバイス。
（項目１８）
前記吸引チューブまたは前記光導波路に配置されたスタンドオフが、該吸引チューブと該光導波路との係合を防止し、それによって、その間に前記空隙を維持することを支援する、項目１７に記載のデバイス。
（項目１９）
前記光導波路は、該光導波路の前記遠位端から出射する光を偏光するための偏光要素を備える、項目１に記載のデバイス。
（項目２０）
前記光導波路は、１つ以上の波長の光を前記手術野に送達するためのフィルタ要素を備える、項目１に記載のデバイス。
（項目２１）
前記光導波路の前記遠位端は、平坦ではない、項目１に記載のデバイス。
（項目２２）
前記光学クラッディングの外側層は、１．２９から１．６７までの屈折率を有する、項目１に記載のデバイス。
（項目２３）
前記光学クラッディングの外側層は、前記吸引チューブと非同心であるチューブを形成する、項目１に記載のデバイス。
（項目２４）
前記光学クラッディングの外側層の一部は、前記光学クラッディングの内側層の一部に直接的に接触する、項目１に記載のデバイス。
（項目２５）
前記光導波路の前記近位端と単一片として一体的に形成された光伝導導管をさらに備え、該光伝導導管は、光を光源から該光導波路の中へ導入するように適合される、項目１に記載のデバイス。
（項目２６）
前記光伝導導管は、各々が略長方形の断面を有する２つの光伝導導管を備え、該２つの光伝導導管は、前記光導波路の前記近位端と単一片として一体的に形成される、項目２５に記載のデバイス。
（項目２７）
前記光導波路は、前記吸引チューブと摺動可能に結合され、該吸引チューブに対する該光導波路の近位移動は、該光導波路の前記遠位端から出射する前記光のスポットサイズを増加させ、該吸引チューブに対する該光導波路の遠位移動は、該光導波路の該遠位端から出射する該光のスポットサイズを減少させる、項目１に記載のデバイス。
（項目２８）
前記光導波路の前記近位端および前記吸引チューブの前記近位端に結合されたハンドルをさらに備え、空隙が該導波路と該ハンドルの内側表面との間に配置される、項目１に記載のデバイス。
（項目２９）
前記ハンドルの内側表面または前記光導波路の外側表面に配置されたスタンドオフが、該ハンドルと光導波路との係合を防止し、それによって、その間に前記空隙を維持することを支援する、項目２８に記載のデバイス。
（項目３０）
患者の手術野の中の組織を照光する方法であって、
該方法は、
照光式吸引装置を提供することであって、該照光式吸引装置は、吸引チューブ、および全反射によって自身を通して光を透過させる光ファイバでない光導波路を有し、該吸引チューブと該光導波路とは、単一の手持式器具を形成するように一緒に結合される、ことと、
該照光式吸引装置の遠位端を該手術野の中に設置することと、
該光導波路の遠位端または外側表面に配置された光抽出特徴を用いて該光導波路から光を抽出することによって、該手術野を照光することであって、該抽出された光は、また、該抽出特徴によって指向させられて、該手術野の中に事前に選択された照光パターンを形成する、ことと、
該手術野を照光しながら、流体または他の残骸を該吸引チューブを用いて該手術野から吸引することと
を備える、方法。
（項目３１）
前記照光式吸引装置は、前記吸引チューブの周囲に配置された光学クラッディングの内側層を備え、該光学クラッディングの内側層は、該吸引チューブと前記光導波路との間に配置される、項目３０に記載の方法。
（項目３２）
光学クラッディングの外側層をさらに備え、該光学クラッディングの外側層は、前記吸引チューブおよび前記光導波路の両方の周囲に配置される、項目３１に記載の方法。
（項目３３）
前記照光式吸引装置の前記遠位端を前記組織と係合するように設置し、その一方において、前記光導波路の遠位端は、該組織に係合しない、項目３０に記載の方法。
（項目３４）
前記光導波路の遠位端は、その中に一体的に形成されたレンズのアレイを備え、前記手術野を照光することは、該アレイの中の各レンズから光のスポットを投影することを備え、少なくとも、第１の光のスポットは、該手術野の中において第２の光のスポットと重複する、項目３０に記載の方法。
（項目３５）
前記手術野を照光することは、１つ以上の光抽出構造を用いて、光を前記光導波路から抽出することを備え、該抽出された光は、該光導波路から離れるように側方および遠位に指向させられる、項目３０に記載の方法。
（項目３６）
前記手術野を照光することは、偏光された光を用いて該手術野を照光することを備える、項目３０に記載の方法。
（項目３７）
吸引制御機構を用いて、前記吸引チューブによって提供される吸引強度を制御することをさらに備える、項目３０に記載の方法。
（項目３８）
前記吸引チューブによって送達された電流を用いて、前記組織を刺激することをさらに備える、項目３０に記載の方法。
（項目３９）
前記吸引チューブに対して、前記光導波路を摺動可能に設置し、それによって、前記組織における前記抽出された光のスポットサイズを増減させることをさらに備える、項目３０に記載の方法。
（項目４０）
照光式吸引装置を製造する方法であって、
該方法は、
近位端、遠位端、その間に配置された中心区画、内側表面、および外側表面を有する吸引チューブを提供することと、
近位端、遠位端、および外側表面を有する光ファイバでない光導波路を提供することであって、該光導波路は、全反射によって自身を通して光を透過させる、ことと、
該吸引チューブの該中心区画の該外側表面を覆って、光学クラッディングの内側層を嵌着させることと、
該光導波路を該吸引チューブと結合することであって、該光学クラッディングの内側層が、その間に配置される、ことと、
該吸引チューブの該外側表面および該光導波路の該外側表面を覆って、光学クラッディングの外側層を嵌着させることと
を備える、方法。
（項目４１）
前記吸引チューブは、円形断面を有するチューブを備える、項目４０に記載の方法。
（項目４２）
前記光導波路は、第１の曲率半径を有する第１の湾曲側面と、第２の曲率半径を有する第２の湾曲側面とを有し、該第１の曲率半径は、該第２の曲率半径とは異なる、項目４０に記載の方法。
（項目４３）
前記内側層を嵌着させることは、該内側層を前記吸引チューブ上に熱収縮させることを備える、項目４０に記載の方法。
（項目４４）
前記光導波路は、それに沿って配置された開放チャネルを備え、該光導波路を前記吸引チューブと結合することは、該吸引チューブを該チャネルの中に配置することを備える、項目４０に記載の方法。
（項目４５）
前記外側層を嵌着させることは、該外側層を前記吸引チューブおよび光導波路上に熱収縮させることを備える、項目４０に記載の方法。
本発明は、概して、手術用照光の分野に関し、より具体的には、統合型手術用ツールを有する照光システムに関する。